(57)【特許請求の範囲】
【請求項１】
挿入された券を収納するスタック部を備えた券類発行装置において、  前記スタック部内に券を投入して収納すると共に収納された収納券を一枚ずつ分離して繰り出す投入繰出手段を有し、該投入繰出手段を、フィードローラ部と、リバースローラ及び該リバースローラと同軸上でその両側に位置し弾性部材よりなる羽根状の舌片ローラによって形成したリバースローラ部とから構成し、前記フィードローラ部を投入と繰出しの両方向に回転可能に構成すると共に前記リバースローラ部を投入方向にのみ回転可能に構成したことを特徴とする券類発行装置。
【請求項２】
挿入された券を収納するスタック部を備えた券類発行装置において、  前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記挿入された券の長さを識別する識別部を有し、該識別部によって識別された挿入券の長さがスタック部内に収納されている収納券の長さよりも短い場合は、前記スタック部内に前記挿入券を投入する際に該挿入券の勢いが減少し、該挿入券が投入繰出手段側に寄った状態で集積するような速度で前記挿入券を前記スタック部内に投入するようにしたことを特徴とする券類発行装置。
【請求項３】
挿入された券を収納するスタック部を備えた券類発行装置において、  前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記スタック部内の投入券の投入方向に揺動可能に付勢されたサブストッパを設けたことを特徴とする券類発行装置。
【請求項４】
前記投入繰出手段の投入口とサブストッパ間の距離を最小券の寸法に設定すると共に、前記サブストッパの付勢力を最小券投入時のエネルギーを吸収する力に設定したことを特徴とする請求項３に記載の券類発行装置。
【請求項５】
挿入された券を収納するスタック部を備えた券類発行装置において、前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、挿入された券の長さを識別する識別部と、前記スタック部内に投入された投入券の飛び出しを防止するために設けられ、前記識別部によって識別された投入券の長さに応じて移動するシートストッパとを有することを特徴とする券類発行装置。
【発明の詳細な説明】
【０００１】
【発明の属する技術分野】
本発明は、券類発行装置に係り、より詳しくは、航空機の搭乗券、列車の座席指定券、各種の予約券等の発行及び情報の処理、さらに予約券等と金券等との交換発行処理等を行う券類発行装置に関するものである。
【０００２】
【従来の技術】
従来の券類発行装置は、例えば特願昭６２−１５５３６２号明細書に開示されたように、挿入口から挿入した券の情報を読み取って、新たな情報の書込み、消去、書き換えを行った後、券の交換発券を行うもので、装置に挿入された券を一時的に収納する一時スタック部を有している。
【０００３】
【発明が解決しようとする課題】
上記のような券類発行装置によれば、一時スタック部において、券の投入口と分離繰出口が別れているため各々に投入部と分離繰出部を設け、かつそれぞれに連通する搬送路を設けなければならなかった。そのため、コストアップしたり装置が大型化するという問題があった。
【０００４】
また、収納スペースを一番最初に収納される券の長さに合わせるため、その後に収納される券の長さが最初に収納された券の長さと異なると、収納不良やその後の分離繰出し不良が発生するという問題があった。そのため、長さの異なる券を一時スタック内に連続して収納できないという運用上の制約があった。
【０００５】
本発明は上記のような課題を解決するためになされたもので、コストアップしたり装置が大型化したりすることがなく、また、長さの異なる券であっても一時スタック内に連続して収納することができる券類発行装置を得ることを目的とする。
【０００６】
【課題を解決するための手段】
本発明にかかる券類発行装置は、次のように構成したものである。
（１）挿入された券を収納するスタック部を備えた券類発行装置であって、該スタック部内に券を投入して収納すると共に収納された収納券を一枚ずつ分離して繰り出す投入繰出手段を有し、該投入繰出手段を、フィードローラ部と、リバースローラ及び該リバースローラと同軸上でその両側に位置し弾性部材よりなる羽根状の舌片ローラによって形成したリバースローラ部とから構成し、前記フィードローラ部を投入と繰出しの両方向に回転可能に構成すると共に前記リバースローラ部を投入方向にのみ回転可能に構成した。
【０００７】
（２）挿入された券を収納するスタック部を備えた券類発行装置であって、該スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記挿入された券の長さを識別する識別部を有し、該識別部によって識別された挿入券の長さがスタック部内に収納されている収納券の長さよりも短い場合は、前記スタック部に前記挿入券を投入する際に該挿入券の勢いが減少し、該挿入券が投入繰出手段側に寄った状態で集積するような速度で前記挿入券を前記スタック部内に投入するようにした。
【０００８】
（３）挿入された券を収納するスタック部を備えた券類発行装置であって、前記スタック部内に券を投入して収納すると共に収納された収納券を一枚ずつ分離して繰り出す投入繰出手段を有し、該投入繰出手段を、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記スタック部内の投入券の投入方向に揺動可能に付勢されたサブストッパを設けた。
（４）この場合において、前記投入繰出手段の投入口とサブストッパ間の距離を最小券の寸法に設定すると共に、前記サブストッパの付勢力を最小券投入時のエネルギーを吸収する力に設定した。
【０００９】
（５）挿入された券を収納するスタック部を備えた券類発行装置において、前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、挿入された券の長さを識別する識別部と、前記スタック部内に投入された投入券の飛び出しを防止するために設けられ、前記識別部によって識別された投入券の長さに応じて移動するシートストッパとを有する。
【００１０】
【発明の実施の形態】
実施の形態１
図１は本発明の実施の形態１の構成図、図２は図１の要部の構成図、図３は図２の要部の斜視図、図４、図５はそれぞれ図２の作用説明図、図６は図１の構成を示すブロック図である。図において、１は券類発行装置の本体部、２は券挿入口、３は券排出口である。
【００１１】
４ａ，４ｂ，４ｃは予約券等を収納するホッパ部であり、５，６はホッパ部４ａ〜４ｃの媒体供給口に対応して設けられた分離繰出手段で、各々がピックアップローラ、リバースローラ及びフィードローラ等からなり、それぞれホッパ部４ａ〜４ｃ内から媒体を一枚ずつ分離して取り出すようになっている。
【００１２】
７は、券挿入口２から挿入した券を一時的に収納する一時スタック部であり、その構成については後述する。
８ａ，８ｂはオペレータに排出しない処理された券を収納する回収スタッカ部である。
【００１３】
９は券処理用のプリンタ部で、プラテン１０と、このプラテン１０に対向して配置された印字ヘッド１１と、この印字ヘッド１１の前面を通過するようにセットされ、駆動手段（図示せず）によって駆動されるインクリボン１２とを備えている。
【００１４】
１３ａ〜１３ｋは券挿入口２から挿入される各種券およびホッパ部４ａ〜４ｃ内から繰り出される媒体を挟持して搬送するためのベルトとローラ等からなる搬送路で、これらによって、券挿入口２、券排出口３、ホッパ部４ａ〜４ｃの分離繰出手段５，６、一時スタック部７および回収スタッカ部８ａ，８ｂの券取入口が相互に結ばれている。
【００１５】
１４は搬送路１３ａの途中に配置された識別情報読取手段としてのバーコードリーダ、１５は搬送路１３ｇの途中に配置された磁気リード部、１６は同じく搬送路１３ｇの途中に配置された磁気ライト部、１７ａ〜１７ｆは搬送方向切り替え用のブレードである。
【００１６】
次に、一時スタック部７の構成について図２により詳述する。１８は一時スタック部７内に券を投入すると共に、投入されて一時スタック部７内に収納された収納券１９の束を一枚ずつ分離して搬送路１３ｈに繰り出す投入繰出手段で、ピックアップローラ部２０、フィードローラ部２１、及びリバースローラ部２２によって構成されている。なお、１８ａは券の投入通路（分離繰出し通路）の上部に位置する券通路面である。
【００１７】
フィードローラ部２１は、図３に示すように、軸２３に固定されたフィードローラ２４と軸２３の端部に固定されたフィードギヤ２５とによって構成され、駆動源（図示せず）によってフィードギヤ２５を駆動することで、フィードローラ部２１は矢印Ａ方向（分離繰出し方向）又はＢ方向（投入方向）に回転するようになっている。
【００１８】
リバースローラ部２２は、同じく図３に示すように、軸２６に固定されたリバースローラ２７と、軸２６の端部に固定されフィードギヤ２５と噛み合っているリバースギヤ２８と、羽根状の弾性部材で形成されリバースローラ２７の両側同軸上に固定された舌片ローラ２９ａ，２９ｂとによって構成されている。
【００１９】
なお、リバースギヤ２８はワンウェイクラッチ（図示せず）を介して軸２６に装着されており、フィードローラ部２１が矢印Ｂ方向（投入方向）に回転した場合のみリバースローラ部２２が矢印Ａ方向（投入方向）に回転し、フィードローラ部２１が矢印Ａ方向（分離繰出し方向）に回転した場合はリバースローラ部２２は回転しないようになっている。
【００２０】
３０は支点３０ａによって揺動可能に軸支されたシートプレッシャ部で、駆動手段（図示せず）によって、券の収納時には図４に示すように支点３０ａを軸として分離繰出手段１８側の下方に傾斜しており、券の分離繰出し時には図５に示すように券通路面１８ａと平行になっている。
【００２１】
３１は投入繰出手段１８によって投入された投入券１９ａが一時スタック部７から飛びださないように券通路面１８ａに直交するようにして配設したシートストッパである。３３は駆動手段（図示せず）によって回転するドライブプーリ３４と回転自在に軸支されたアイドルプーリ３５との間に張設されたベルトで、ベルト３３のシートプレッシャ部３０側にシートストッパ３１が固定されている。そして、シートストッパ３１は、バーコードリーダ１４の識別結果により、投入券１９ａの長さａに合わせて、投入券１９ａの長さが短いときは図２の実線で示す位置に移動し、投入券１９ａの長さが長いときは破線で示す位置に移動するようになっている。
【００２２】
こうして構成された装置において、図６に示すように、プリンタ部９、券挿入口２、バーコードリーダ１４、磁気リード部１５、磁気ライト部１６、一時スタック部７、ホッパ部４ａ〜４ｃ及び搬送路１３ａ〜１３ｋが、それぞれ主制御部３６によって制御されている。
【００２３】
上記のように構成した実施の形態１の作用を、図７のフローチャートを用いて説明する。券挿入口２に券が挿入されると（ステップＳ−１）、センサ（図示せず）によって券が検知され、主制御部３６が駆動手段（図示せず）を駆動して搬送路１３ａ〜１３ｋを高速で駆動する（ステップＳ−２）。
【００２４】
このとき、挿入券が何枚目であるかが判定され（ステップＳ−３）、１枚目であるときは、バーコードリーダ部１４が挿入券の種類や券の長さａを認識する（ステップＳ−４、Ｓ−５）と共に、記憶手段（図示せず）が長さａの値を記憶する。一時スタック部７のシートストッパ３１は、図２に示すように、その位置Ｌ１、すなわち分離繰出手段１８からの位置Ｌ１を、バーコードリーダ１４によって認識された券の長さａに対し、Ｌ１＝ａとなるように移動する（ステップＳ−６）。
【００２５】
こうして、券はブレード１７ａ，１７ｂ，１７ｄ，１７ｅによって搬送路１３ａ，１３ｄ，１３ｇを通って磁気リード部１５に搬送され、磁気リード部１５により所定の処理が行われる。そして、ブレード１７ｆによって搬送路１３ｈを通って一時スタック部７の投入繰出手段１８に送り込まれ、図４に示すように、フィードローラ部２１が矢印Ｂ方向でリバースローラ部２２が矢印Ａ方向に回転することにより、すなわち、それぞれが投入方向に回転することにより、一時スタック部７内に券を投入して、投入券１９ａが一時スタック部７内に収納される（ステップＳ−７）。
【００２６】
この際、投入券１９ａは、その後端部が舌片ローラ２９によって下方に叩き落とされ、一時スタック部７内へ収納される。このように、舌片ローラ２９によって確実に下に叩き落とされるため、投入券１９ａは、図４のＡ部に残留することはない。なお、投入時には、シートプレッシャ３０は、図４に示すように、分離繰出手段１８の下方に傾斜している。
【００２７】
次に、挿入枚数が２枚目のときは、券挿入口２に券が挿入されると、１枚目のときと同様にステップＳ−１、ステップＳ−２と進み、挿入枚数が１枚目か否か判定され（ステップＳ−３）、１枚目でないと認定されると、バーコードリーダ１４によってバーコードが検出され（ステップＳ−８）、挿入券長ｂが検出されて（ステップＳ−９）、認識された券の長さｂと既に記憶されている券の長さａを比較して、ａ＞ｂであるか、ａ≦ｂであるかを認識する（ステップＳ−１０）。
【００２８】
ａ＞ｂの場合は、主制御部３６は、搬送路１３ａ〜１３ｋの駆動速度を減速して（ステップＳ−１１）、投入券１９ａを一時スタック部７内に投入する（ステップＳ−７）。こうして、低速で駆動させるようにしたので、一時スタック部７内に投入券１９ａを投入する際に券の勢いが減少し、投入券１９ａの長さが既に収納されている収納券束１９より短くても、図４に示すように、投入繰出手段１８側に寄った状態で集積する。
【００２９】
ａ≦ｂの場合は、記憶手段に記憶されているａの値をｂの値に更新する（ステップＳ−１２）。そして、図２に示すＬ１がｂとなるようにシートストッパ３１が移動し（ステップＳ−６）、図８に示す状態になって、投入券１９ａは高速で一時スタッカ部７内に投入される（ステップＳ−７）。
挿入枚数が３枚目若しくはそれ以上のときは、その枚数分だけ先と同様の工程が繰り返され、挿入券が一時スタック部７内に収納される。
【００３０】
一時スタック部７内への券の収納がすべて終了すると、新たな券を発行する処理が行われる。
ホッパ部４ａ〜４ｃの分離繰出手段５，６のいずれか一方から、発行該当券が一枚分離して繰り出される。繰り出された券は、駆動手段によって駆動された搬送路１３ｋ，１３ｇによって、磁気ライト部１６、磁気リード部１５に搬送され、所定の処理が行われる。
【００３１】
次に、ブレード１７ｅと搬送路１３ｃによってプリンタ部９に搬送され、券に印字処理がなされた後、ブレード１７ｂと搬送路１３ｂによって搬送され、券排出口３から排出される。この発行処理が一時スタック部７内に収納されている券の枚数分、または所定の枚数分だけ行われ、発行処理は終了する。
発行処理が終了すると、一時スタック部７内の収納券１９を回収スタッカ部８ａ，８ｂ内に収納する処理が行われる。
【００３２】
一時スタック部７内の収納券１９の束を分離して繰り出すため、シートプレッシャ３０が図４に示す傾斜した状態から図５に示すように券通路面１８ａに平行な状態に回動し、投入繰出手段１８が分離繰り出し方向に回転する。すなわち投入繰出手段１８のフィードローラ部２１が図５の矢印Ａ方向に回転する。このとき、リバースローラ部２２は回転せず停止している。
【００３３】
こうして、収納券１９の束は一枚ずつ分離され、搬送路１３ｈに送り込まれる。このとき、リバースローラ部２２の舌片ローラ２９は羽根状の弾性部材で形成されているため、一枚ずつ分離された券によって押し倒されて破線で示す状態から実線で示す状態に変形し、収納券１９の分離繰出しに影響を与えることはない。こうして、一時スタック部７内からの分離繰出し動作が完了し、繰出券１９ｂとなって搬送路１３ｈに繰り出される。
繰り出された券１９ｂは、駆動手段によって駆動された搬送路１３ｇによって磁気ライト部１６、磁気リード部１５に搬送され、所定の処理がおこなわれる。
【００３４】
次に、ブレード１７ｅと搬送路１３ｃによりプリンタ部９に搬送され、券に印字処理が行われる。そして、券のホッパ部４ａ〜４ｃ方向の端部がブレード１７ｂを通り過ぎるまで券を搬送した後、搬送路を一端停止して逆方向に駆動し、ブレード１７ｂによって券を搬送路１３ｄ，１３ｆに搬送する。
【００３５】
券の挿入口２方向の端部がブレード１７ｄを通り過ぎるまで券を搬送した後、再度、搬送路を停止してブレード１７ｄを切り替え、搬送路を駆動して搬送路１３ｅに券を搬送し、回収スタッカ部８ａ，８ｂに券を投入して収納する。なお、回収スタッカ部８ａ，８ｂのいずれに収納するかは、上位制御部（図示せず）の指示による。この回収スタッカ部８ａ，８ｂへの収納処理は、一時スタック部７内の収納券１９の束がなくなるまで行われて、処理が終了する。
【００３６】
従って、本実施の形態によれば、一時スタッカ部７の投入繰出手段１８のリバースローラ部２２を収納方向にのみに回転するようにしたことと、リバースローラ部２２に券投入時に券の後端を叩き落とす舌片ローラ部２９を設けたことにより、一時スタック部７への券の投入と一時スタック部７からの券の繰出しを、投入繰出手段１８のみによって行うことができ、また、搬送路を減らすことができるため、低コスト化及び装置の小型化が可能となる。
【００３７】
また、本実施の形態によれば、投入される券の長さが、既に一時スタック部７内に収納されている券よりも短い場合は、一時スタック部７に低速で券を投入するようにしたため券の勢いがなくなり、常にリバースローラ部２２側に寄った状態で集積される。従って、収納完了後に一時スタック部７から収納券を繰出し分離する際も、券のずれがないため安定した繰出し分離ができ、一時スタック部７内に長さの異なる券を収納することが可能となる。
また、本実施の形態によれば、シートストッパ部３１を、収納する券の最大長さの位置に固定することもでき、この場合は、シートストッパ部３１の駆動機構を省略でき、低コスト化も図れる。
【００３８】
実施の形態２
図９は本発明の実施の形態２の構成図、図１０、図１１はそれぞれ図９の作用説明図である。実施の形態１では短い券を収納する際に搬送速度を低速にしたが、実施の形態２では低速にすることなく長さの異なる券を収納できるようにしたものである。なお、実施の形態１と同一部分には同じ符号を付し、説明を省略する。
【００３９】
７は一時スタック部であり、３１はベース部材（図示せず）に固定されたシートストッパである。
３８は軸３９によって揺動可能に軸支されたサブストッパで、通常時は券通路面１８ａに直交するようにして取り付けられており、投入繰出手段１８との距離が最小券の寸法ｃになるようにしてある。４０は投入繰出手段１８側のサブストッパ部３８に取り付けたスプリングで、そのスプリング力は最小券を投入するときのエネルギーが吸収される力に設定されている。
【００４０】
なお、サブストッパ３８はシートプレッシャ部３０側の端部近傍が券の投入方向に折れ曲がって折曲部４１を形成しており、シートプレッシャー部３０が券通路面１８ａに平行になった場合にサブストッパ部３８は折曲部４１によって券の投入方向に回動して逃げやすい構造となっている。こうして、シートプレッシャ部３０の回動と連動してサブストッパ３８を回転退避させることができるようにしてある。
なお、上記の説明では、サブストッパ３８を１箇所に設けた場合を示したが、一時スタック７内に収納する券の長さの種類に応じて、複数箇所に設けるようにしてもよい。
【００４１】
次に、実施の形態２の作用を説明する。なお、実施の形態１と同様の作用についてはその説明を省略する。図９に示すように、最小券が高速で投入されると、投入券１９ａはサブストッパ３８に衝突する。このとき、サブストッパ３８は、その位置が最小券の長さｃに取り付けられており、またスプリング４０が投入エネルギーを吸収するように構成されているため、投入券１９ａがシートストッパ部３１側に飛び出すことがなく、常にリバースローラ部２２側に寄った状態で集積される。
【００４２】
次に、図１０に示すように、最小券以上の長さｅの券が投入されると、投入券１９ａはサブストッパ３８に高速で衝突するが、サブストッパ３８は券の放出に影響を与えることはなく、投入券１９ａに押されて矢印ロ方向に回動する。こうして、投入券１９ａはサブストッパ部３８を通り抜けてシートストッパ３１方向に移動する。繰出し分離時には、図１１に示すように、シートプレッシャ部３０が支点３０ａのまわりに回動して券通路面１８ａとほぼ平行状態になり、サブストッパ３８が矢印ロ方向に回動する。このため、サブストッパ３８は収納券１９の分離繰出しに影響を与えることはない。
【００４３】
従って、本実施の形態によれば、挿入された券の長さが、既に一時スタック部７内に収納されている券よりも短い場合は、サブストッパ３８が高速で放出される券の飛び出しを防ぐため、処理時間を延ばさずに常にリバースローラ部２２側に寄った状態で集積される。
【００４４】
【発明の効果】
以上の説明から明らかなように、本発明にかかる券類発行装置によれば、次のような効果を得ることができる。なお、説明に当たっては、請求項の番号と同じ番号を付してそれぞれの請求項の効果を記述する。
【００４５】
（１）挿入された券を収納するスタック部を備えた券類発行装置であって、前記スタック部内に券を投入して収納すると共に収納された収納券を一枚ずつ分離して繰り出す投入繰出手段を有し、該投入繰出手段を、フィードローラ部と、リバースローラ及び該リバースローラと同軸上でその両側に位置し弾性部材で形成した羽根状の舌片ローラによって形成したリバースローラ部とから構成し、前記フィードローラ部を投入と繰出しの両方向に回転可能に構成すると共に前記リバースローラ部を投入方向にのみ回転可能に構成した。
このため、スタック部内への券の投入とスタック部からの券の繰出しを、投入繰出手段のみによって行うことができ、また、搬送路を減らすことができるため、低コスト化及び装置の小型化が可能となる。さらに、スタック部内への投入券の投入時に、舌片ローラ部によって券の後端を叩き落とすことができる。
【００４６】
（２）挿入された券を収納するスタック部を備えた券類発行装置であって、前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記挿入された券の長さを識別する識別部を有し、該識別部によって識別された挿入券の長さがスタック部内に収納されている収納券の長さよりも短い場合は、前記スタック部に前記挿入券を投入する際に該挿入券の勢いが減少し、該挿入券が投入繰出手段側に寄った状態で集積するような速度で前記挿入券を前記スタック部内に投入するようにした。
【００４７】
このため、スタック部内への券の投入とスタック部からの券の繰出しを、投入繰出手段のみによって行うことができ、また、搬送路を減らすことができるため、低コスト化及び装置の小型化が可能となる。さらに、投入券を投入する際に券の勢いが減少してリバースローラ側に寄った状態で集積され、また収納券を繰出し分離する際も券のずれがないため安定した繰出し分離ができ、スタック部内に長さの異なる券を収納することが可能となる。
【００４８】
（３）挿入された券を収納するスタック部を備えた券類発行装置であって、前記スタック部内に券を投入して収納すると共に収納された収納券を一枚ずつ分離して繰り出す投入繰出手段を有し、該投入繰出手段を、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、前記スタック部内の投入券の投入方向に揺動可能に付勢されたサブストッパを設けた。
このため、スタック部内への券の投入とスタック部からの券の繰出しを、投入繰出手段のみによって行うことができ、また、搬送路を減らすことができるため、低コスト化及び装置の小型化が可能となる。さらに、サブストッパが高速で投入される券の飛び出しを防いで、処理時間を延ばさずにリバースローラ側に寄った状態で集積される。
【００４９】
（４）この場合において、前記投入繰出手段の投入口とサブストッパ間の距離を最小券の寸法に設定すると共に、前記サブストッパの付勢力を最小券投入時のエネルギーを吸収する力に設定した。
このため、サブストッパが高速で投入される券の飛び出しを防いで、処理時間を延ばさずにリバースローラ側に寄った状態で集積される。
【００５０】
（５）挿入された券を収納するスタック部を備えた券類発行装置であって、前記スタック部内に券を投入して収納すると共に収納された収納券を一枚ずつ分離して繰り出す投入繰出手段を有し、該投入繰出手段をフィードローラ部と弾性材からなる舌片ローラを有するリバースローラ部とから構成し、前記フィードローラ部を投入と繰出しの両方向に回転可能に構成すると共に前記リバースローラ部を投入方向にのみ回転可能に構成し、挿入された券の長さを識別する識別部と、前記スタック部内に投入された投入券の飛び出しを防止するために設けられ、前記識別部によって識別された投入券の長さに応じて移動するシートストッパとを有する。
このため、挿入された券の長さが識別部により識別され、投入券の長さに合わせてシートストッパが移動するので、スタック部内に投入された投入券の飛び出しを投入券の長さに合わせて効率的に防止することができる。
【図面の簡単な説明】
【図１】本発明の概略構成図である。
【図２】実施の形態１の一時スタック部の構成図である。
【図３】図２の投入繰出し手段の斜視図である。
【図４】図２の作用説明図である。
【図５】図２の他の作用説明図である。
【図６】実施の形態１のブロック図である。
【図７】実施の形態１の作用を説明するためのフローチャートである。
【図８】図２の別の作用説明図である。
【図９】本発明の実施の形態２の要部の構成図である。
【図１０】図９の作用説明図である。
【図１１】図９の他の作用説明図である。
【符号の説明】
７  一時スタック部
１３ａ〜１３ｋ  搬送路
１４  バーコードリーダ
１８  投入繰出手段
１９ａ  投入券
１９    収納券
２１  フィードローラ部
２２  リバースローラ部
２３  軸
２７  リバースローラ
２９  舌片ローラ
３０  シートプレッシャ部
３１  シートストッパ部
３８  サブストッパ
４０  スプリング
【図１】
0003546343.tif 000002
【図２】
0003546343.tif 000003
【図３】
0003546343.tif 000004
【図４】
0003546343.tif 000005
【図５】
0003546343.tif 000006
【図６】
0003546343.tif 000007
【図７】
0003546343.tif 000008
【図８】
0003546343.tif 000009
【図９】
0003546343.tif 000010
【図１０】
0003546343.tif 000011
【図１１】
0003546343.tif 000012